(57)【要約】【課題】改造ＲＯＭへの不正交換による不正行為を未然に防ぐことが可能であって、かつ正当な遊技制御用ＲＯＭの交換を容易に行うことが可能な遊技機におけるセキュリティ装置の提供。【解決手段】固有の識別情報を保持させたＲＦＩＤタグ１１およびこのＲＦＩＤタグ１１に接続されたアンテナ線１２と、ＲＦＩＤタグ１１とアンテナ線１２を介して無線通信を行うことにより識別情報を読み取るＲＦＩＤ読取装置１３と、複数の遊技機１ａ等に対してそれぞれ取り付けたＲＦＩＤ読取装置１３が接続されるネットワークと、ネットワークを介してＲＦＩＤ読取装置１３により読み出された識別情報を受信し、識別情報の受信状況に応じて識別情報に対応する遊技機の状況を出力するサーバ２０とを備え、アンテナ線１２により遊技制御用ＲＯＭが収容された制御ボックス１０を封止し、ＲＦＩＤ読取装置１３を遊技機内部のＩＤタグと無線通信を行うことが可能な位置に固定した。【選択図】  図１
2005270447.tif 000002
【特許請求の範囲】
【請求項１】
固有の識別情報を保持させたＩＤタグおよびこのＩＤタグに接続されたアンテナ線と、
前記ＩＤタグと前記アンテナ線を介して無線通信を行うことにより前記識別情報を読み取る読取装置と、
複数の遊技機に対してそれぞれ取り付けた前記読取装置が接続されるネットワークと、
同ネットワークを介して前記読取装置により読み出された識別情報を受信し、前記識別情報の受信状況に応じて前記識別情報に対応する遊技機の状況を出力するサーバとを備え、
前記アンテナ線により、遊技制御用ＲＯＭが収容されたボックスの開閉部を封止し、
前記読取装置を、遊技機内部の前記ＩＤタグと無線通信を行うことが可能な位置に固定した
ことを特徴とする遊技機におけるセキュリティ装置。
【請求項２】
前記サーバは、前記識別情報の受信状況に応じて予め設定された通知先に状況を通知する手段を備えたことを特徴とする請求項１に記載の遊技機におけるセキュリティ装置。
【請求項３】
前記アンテナ線は、前記ボックスを周回させた状態に貼り付けたことを特徴とする請求項１または２に記載の遊技機におけるセキュリティ装置。
【請求項４】
前記アンテナ線は、前記ボックスの少なくとも互いに隣り合う３面を跨いで貼り付けたことを特徴とする請求項１または２に記載の遊技機におけるセキュリティ装置。
【請求項５】
前記アンテナ線は、終端を垂らした状態に取り付けたことを特徴とする請求項１から４のいずれかに記載の遊技機におけるセキュリティ装置。
【発明の詳細な説明】
【技術分野】
【０００１】
本発明は、パチンコ機やスロット機等の遊技機におけるセキュリティ装置に係り、より詳しくは、遊技制御用ＲＯＭ（Read Only Memory：ロム）の改造ＲＯＭへの不正交換による不正行為を防止するためのセキュリティ装置に関する。
【背景技術】
【０００２】
パチンコ機やスロット機等の遊技機には、遊技状態を制御するための遊技制御基板が設けられている。この遊技制御基板には、遊技状態を制御するための遊技制御プログラムが記憶された遊技制御用ＲＯＭが取り付けられている。遊技制御用ＲＯＭは、容易に交換できないようにボックス内に封入されているが、この遊技制御用ＲＯＭが製造工場等から遊技場に納入される途中や夜間等の遊技場において不正に交換されてしまうという問題が生じている。
【０００３】
そこで、従来、遊技機固有の識別情報を保持させたＩＤタグ等の識別情報保持手段により遊技制御用ＲＯＭが不正に交換されていないかどうかを確認することが行われている。例えば、特許文献１〜３には、遊技制御用ＲＯＭのケースや基板等に予めＩＤタグを取り付けておき、随時、ＩＤタグ読み取り装置にてＩＤタグの識別情報を読み取ることにより、識別情報の正当性を検査することが記載されている。
【０００４】
また、特許文献４には、ＩＤ用集積回路を設けたＩＤシールを遊技制御用ＲＯＭのケースの開口部の両側に跨ぐように貼り付けておき、このＩＤ用集積回路のデータを読み取り装置にて読み取ることにより遊技制御用ＲＯＭの不正交換をチェックすることが記載されている。また、このシステムでは、ケースが開封されたときにＩＤシールが切断され、データを読み取ることが不可能となるので、不正が行われたことをチェックすることができる。
【０００５】
また、特許文献５には、フィルムセンサをケースの合わせ目に貼り付けておき、このフィルムセンサからケーブルを介してデータ収集を行うことにより、不正交換のあった遊技機をチェックすることが記載されている。このシステムでは、ケースの開封がフィルムセンサによって検出されるか、あるいはケーブルの切断によりフィルムセンサへのアクセスが不可能となることにより、異常を認識することができるので、不正行為を未然に防ぐことができる。
【０００６】
【特許文献１】特開２００４−３３６３５号公報
【特許文献２】特開２００２−２４８２５０号公報
【特許文献３】特開平１１−１２８５０３号公報
【特許文献４】特開平１０−２２５５６５号公報
【特許文献５】特開平１０−２１１３３６号公報
【発明の開示】
【発明が解決しようとする課題】
【０００７】
特許文献１〜４に記載のシステムでは、係員が遊技機を巡回してＩＤタグ等を読み取り装置にて読み取らない限り、不正が行われたことをチェックすることができない。したがって、不正が行われてから係員が巡回するまでの間は不正行為があったことを認識することができないため、その間に改造ＲＯＭによって不当な利益を盗み取られてしまう可能性がある。
【０００８】
また、特許文献５に記載のシステムでは、不正行為を未然に防ぐことは可能であるが、ケースに貼り付けられたフィルムセンサからケーブルが延びているので、正当に遊技制御用ＲＯＭを交換する際には、その都度このケーブルを切断しなければならない。また、新たな遊技制御用ＲＯＭの取り付けの際には、このケーブルを再びデータ収集ユニットまで配線しなければならない。
【０００９】
パチンコ機やスロット機等の遊技機では、前述のように遊技制御用ＲＯＭの不正交換を防がなければならないものの、正当に古い遊技制御用ＲＯＭを新たな遊技制御用ＲＯＭに交換することも頻繁に行われるので、その都度ケーブルの切断および配線を行う作業は、かなり大変な作業となる。
【００１０】
そこで、本発明においては、改造ＲＯＭへの不正交換による不正行為を未然に防ぐことが可能であって、かつ正当な遊技制御用ＲＯＭの交換を容易に行うことが可能な遊技機におけるセキュリティ装置を提供することを目的とする。
【課題を解決するための手段】
【００１１】
本発明の遊技機におけるセキュリティ装置は、固有の識別情報を保持させたＩＤタグおよびこのＩＤタグに接続されたアンテナ線と、ＩＤタグとアンテナ線を介して無線通信を行うことにより識別情報を読み取る読取装置と、複数の遊技機に対してそれぞれ取り付けた読取装置が接続されるネットワークと、ネットワークを介して読取装置により読み出された識別情報を受信し、識別情報の受信状況に応じて識別情報に対応する遊技機の状況を出力するサーバとを備え、アンテナ線により、遊技制御用ＲＯＭが収容されたボックスを封止し、読取装置を、遊技機内部のＩＤタグと無線通信を行うことが可能な位置に固定したことを特徴とする。
【００１２】
本発明によれば、正常状態において遊技制御用ＲＯＭが収容されたボックスの開閉部を封止したアンテナ線を介して、ＩＤタグに保持された固有の識別情報が遊技機内部に固定された読取装置により無線通信により読み取られ、ネットワークを介してサーバに受信され、各識別情報の受信状況に応じて各識別情報に対応する各遊技機の状況が出力される。これにより、各遊技機の遊技制御用ＲＯＭの正当性を常時監視することができる。
【００１３】
ここで、ボックスが不正に開封されてこのボックスの開閉部を封止したアンテナ線が解かれた場合やボックスが不正に取り外された場合に、ＩＤタグとの無線通信が不可能となり、このＩＤタグに保持された固有の識別情報を読取装置により読み取ることができなくなる。これにより、識別情報がサーバに受信されなくなり、サーバによりその受信されなくなった識別情報に対応する遊技機の状況が出力される。これにより、不正にボックスが開封または取り外された遊技機が特定される。
【００１４】
また、正当に古い遊技制御用ＲＯＭを新たな遊技制御用ＲＯＭに交換する際には、遊技機内部に固定された読取装置を遊技機内部に残したまま、古い遊技制御用ＲＯＭが収容されたボックスを、開閉部を封止したままＩＤタグおよびアンテナ線とともに取り外し、新たな遊技制御用ＲＯＭが収容されたボックス、すなわち別の固有情報を保持させたＩＤタグに接続されたアンテナ線により開閉部を封止した新たなボックスを取り付けるだけでよい。
【００１５】
ここで、サーバは、識別情報の受信状況に応じて予め設定された通知先に状況を通知する手段を備えることが望ましい。これにより、遊技機の遊技制御用ＲＯＭが収容されたボックスが不正に開封または取り外されたときに、随時予め設定された通知先にその状況が通知される。
【００１６】
遊技制御用ＲＯＭが収容されたボックスの開閉部を封止するアンテナ線は、ボックスを周回させた状態に貼り付けることが望ましい。これにより、ボックスの開閉部を開封しようとする力がボックスを周回させたアンテナ線に必ず加わるようになり、より早くかつ確実にアンテナ線が解かれたことを検出することが可能となる。
【００１７】
あるいは、アンテナ線は、ボックスの少なくとも互いに隣り合う３面を跨いで貼り付けることが望ましい。これにより、ボックスの開閉部を開封しようとする互いに直交する３方向への力がアンテナ線に必ず加わるようになり、より早くかつ確実にアンテナ線が解かれたことを検出することが可能となる。
【００１８】
また、アンテナ線は、終端を垂らした状態に取り付けるのが望ましい。パチンコ機やスロット機等の遊技機の遊技制御用ＲＯＭが収容されたボックスの周囲には、ボックスを保護するために鉄板等の防護板が設けられていることが多い。この場合、アンテナ線の終端を垂らした状態に取り付けることで、無線通信への鉄板等による磁場の影響を回避することが可能となる。
【発明の効果】
【００１９】
（１）固有の識別情報を保持させたＩＤタグおよびこのＩＤタグに接続されたアンテナ線と、ＩＤタグとアンテナ線を介して無線通信を行うことにより識別情報を読み取る読取装置と、複数の遊技機に対してそれぞれ取り付けた読取装置が接続されるネットワークと、ネットワークを介して読取装置により読み出された識別情報を受信し、識別情報の受信状況に応じて識別情報に対応する遊技機の状況を出力するサーバとを備え、アンテナ線により、遊技制御用ＲＯＭが収容されたボックスを封止し、読取装置を、遊技機内部のＩＤタグと無線通信を行うことが可能な位置に固定したことにより、各遊技機の遊技制御用ＲＯＭの正当性を常時監視することができるので、改造ＲＯＭへの不正交換による不正行為を未然に防ぐことが可能となる。また、正当に古い遊技制御用ＲＯＭを新たな遊技制御用ＲＯＭに交換する際には、遊技機内部に固定された読取装置を遊技機内部に残したまま、古い遊技制御用ＲＯＭが収容されたボックスを新たなボックスに交換するだけでよい。これにより、何らケーブルの切断や配線を行うことなく、遊技制御用ＲＯＭの交換を容易に行うことが可能となる。
【００２０】
（２）サーバが、識別情報の受信状況に応じて予め設定された通知先に状況を通知する手段を備えることにより、遊技機の遊技制御用ＲＯＭが収容されたボックスが不正に開封または取り外されたときに、随時予め設定された通知先にその状況が通知されるので、即座に不正行為への対応を行うことが可能となる。
【００２１】
（３）アンテナ線を、ボックスを周回させた状態に貼り付け、あるいはボックスの少なくとも互いに隣り合う３面を跨いで貼り付けることによって、より早くかつ確実にアンテナ線が解かれたことを検出し、不正行為への対応をより早くかつ確実に行うことが可能となる。
【００２２】
（４）アンテナ線を、終端を垂らした状態に取り付けることにより、遊技制御用ＲＯＭが収容されたボックスの周囲に鉄板等の防護板が設けられている場合に、無線通信への鉄板等による磁場の影響を回避して、読取装置によりＩＤタグから識別情報を正確に読み取ることが可能となる。
【発明を実施するための最良の形態】
【００２３】
図１は本発明の実施の形態におけるセキュリティ装置の全体構成図、図２Ａ、図２Ｂ、図２Ｃはそれぞれ遊技機内の制御ボックス周りの配置例を示す説明図である。
【００２４】
図１に示すように、本発明の実施の形態におけるセキュリティ装置は、固有の識別情報を保持させたＲＦＩＤ（Radio Frequency Identification）タグ１１と、このＲＦＩＤタグ１１に接続されたアンテナ線１２と、ＲＦＩＤタグ１１の識別情報を読み取るＲＦＩＤ読取装置１３とを備える。ＲＦＩＤタグ１１、アンテナ線１２およびＲＦＩＤ読取装置１３は、遊技店（ホール）のパチンコ機やスロット機等の各遊技機１ａ，１ｂ，…，１ｎ，２ａ，２ｂ，…，２ｎごとに設置する。
【００２５】
ＲＦＩＤタグ１１は、各遊技機１ａ，１ｂ，…，１ｎ，２ａ，２ｂ，…，２ｎ内部の遊技制御用ＲＯＭ（以下、「ＲＯＭ」と称す。）が収容された制御ボックス１０にそれぞれ貼り付けられている。各ＲＦＩＤタグ１１に接続されたアンテナ線１２は、図２Ａに示すように、制御ボックス１０を周回させた状態に貼り付ける。これにより、制御ボックス１０の開閉部１０ａは、このアンテナ線１２により封止される。なお、制御ボックス１０を周回させたアンテナ線１２は、図２Ａの拡大図に示すように、その先端同士が引っ掛けられ、粘着テープ１４で制御ボックス１０の壁面に固定されている。
【００２６】
ＲＦＩＤ読取装置１３は、図２Ａに示すように、各遊技機１ａ，１ｂ，…，１ｎ，２ａ，２ｂ，…，２ｎ内部のＲＦＩＤタグ１１と無線通信を行うことが可能な位置にそれぞれ固定されている。ＲＦＩＤ読取装置１３は、ＲＦＩＤタグ１１に接続されたアンテナ線１２を介してＲＦＩＤタグ１１と無線通信を行うことにより、ＲＦＩＤタグ１１に保持された固有の識別情報を読み取る。
【００２７】
なお、パチンコ機やスロット機等の各遊技機１ａ，１ｂ，…，１ｎ，２ａ，２ｂ，…，２ｎの中には、例えば、図２Ｂおよび図２Ｃに示すように、制御ボックス１０を保護するための鉄板１５，１６が設けられたものがある。
【００２８】
図２Ｂに示すように、制御ボックス１０の背面（図２Ｂの右側の面）に鉄板１５が設けられている場合、図２Ａに示すようなアンテナ線１２の取り付け方では、アンテナ線１２とＲＦＩＤ読取装置１３との間に鉄板１５が介在することになる。この場合、鉄板１５が電磁波を吸収してしまうので、ＲＦＩＤ読取装置１３は、ＲＦＩＤタグ１１から識別情報を正常に読み出せなくなる可能性がある。そこで、図２Ｂに示すように、アンテナ線１２の終端を垂らした状態に取り付ける。これにより、無線通信への鉄板１５による磁場の影響を回避することができる。
【００２９】
また、図２Ｃに示すように、制御ボックス１０の前面（図２Ｃの左側の面）に鉄板１６が設けられている場合、アンテナ線１２とＲＦＩＤ読取装置１３との間に鉄板１６は介在しないが、図２Ａに示すようなアンテナ線１２の取り付け方では、アンテナ線１２の一部が鉄板１６と制御ボックス１０との間に挟み込まれてしまい、実質的にアンテナ線１２の長さが短くなってしまう。そこで、図２Ｃに示すように、アンテナ線１２を制御ボックス１０の互いに隣り合う３面を跨いで貼り付ける。これにより、アンテナ線１２の長さを所定の長さに保つことができる。
【００３０】
上記のように、遊技制御用ＲＯＭが収容された制御ボックス１０をアンテナ線１２により封止し、このアンテナ線１２を介してＲＦＩＤタグ１１と無線通信を行うことが可能な位置にＲＦＩＤ読取装置１３を固定すれば、制御ボックス１０が不正に開封されてこの制御ボックス１０の開閉部を封止したアンテナ線１２が解かれた場合や制御ボックス１０が不正に取り外された場合には、ＲＦＩＤ読取装置１３とＲＦＩＤタグ１１との無線通信が不可能となり、このＲＦＩＤタグ１１に保持された固有の識別情報をＲＦＩＤ読取装置１３により読み取ることができなくなる。
【００３１】
なお、制御ボックス１０、ＲＦＩＤタグ１１、アンテナ線１２およびＲＦＩＤ読取装置１３は、遊技機１ａについてのみ図１に示しているが、その他の各遊技機１ｂ，…，１ｎ，２ａ，２ｂ，…，２ｎについてもそれぞれ制御ボックス１０、ＲＦＩＤタグ１１、アンテナ線１２およびＲＦＩＤ読取装置１３が設置されているものとする。
【００３２】
そして、各遊技機１ａ，１ｂ，…，１ｎ，２ａ，２ｂ，…，２ｎのＲＦＩＤ読取装置１３は、各島Ｉ1（遊技機１ａ，１ｂ，…，１ｎの群），Ｉ2（遊技機２ａ，２ｂ，…，２ｎの群）ごとにそれぞれハブ３ａ，３ｂに接続されている。また、ハブ３ａ，３ｂには、それぞれ制御用コンピュータ４ａ，４ｂが接続されている。さらに、制御用コンピュータ４ａ，４ｂは、無線ネットワーク通信装置５ａ，５ｂを介してホール内の無線ネットワーク通信装置６に接続されている。
【００３３】
また、ホールごともしくは全ホールの集中管理センタには、各ホールの各島Ｉ1，Ｉ2の遊技機１ａ，１ｂ，…，１ｎ，２ａ，２ｂ，…，２ｎ内部の制御ボックス１０に取り付けられたＲＦＩＤタグ１１の識別情報を管理するためのサーバ２０が設置されている。サーバ２０には、各種情報を表示出力するディスプレイ２１や印刷出力するプリンタ２２が接続されている。サーバ２０とホール内の無線ネットワーク通信装置６とは、ネットワーク通信装置としてのルータ７によって接続されている。
【００３４】
サーバ２０は、ネットワークを構成する上記ハブ３ａ，３ｂ、制御用コンピュータ４ａ，４ｂ、無線ネットワーク通信装置５ａ，５ｂ，６およびルータ７を介して、各島Ｉ1，Ｉ2の遊技機１ａ，１ｂ，…，１ｎ，２ａ，２ｂ，…，２ｎ内部の制御ボックス１０に取り付けられたＲＦＩＤ読取装置１３と通信を行う。したがって、前述のように、制御ボックス１０に対して不正行為があった場合、ＲＦＩＤ読取装置１３によりＲＦＩＤタグ１１の識別情報が読み取れなくなるので、識別情報はサーバ２０に受信されなくなり、不正に制御ボックス１０が開封または取り外された遊技機が特定される。
【００３５】
また、サーバ２０は、ルータ７およびインターネット８を介してＲＦＩＤの識別情報を管理するＲＦＩＤ管理センタのサーバ３０に接続されている。ＲＦＩＤ管理センタのサーバ３０は、正確な時刻情報を提供するタイムスタンプサーバ４０から時刻情報を取得し、この時刻情報とともにＲＦＩＤの識別情報をデータベース５０に記録して管理する。サーバ３０にも、各種情報を表示出力するディスプレイ３１や印刷出力するプリンタ３２等が接続されている。
【００３６】
次に、上記構成のセキュリティ装置による遊技機の不正行為監視処理について説明する。図３は新規に設置する遊技機（新台）に対する処理の流れを示す説明図、図４は既存の遊技機（既存台）に対する処理の流れを示す説明図である。
【００３７】
新台の場合、図３に示すように、遊技機をパチンコ店などの店舗に設置する前に、厳重に管理された倉庫内で、遊技機内部にＲＦＩＤ読取装置１３とともに、ＲＦＩＤタグ１１およびアンテナ線１２を貼り付けて封止した制御ボックス１０を取り付ける。そして、ＲＦＩＤタグ１１の識別情報およびＲＦＩＤ読取装置１３の識別情報を読み取るとともに、取り付け時の正確な日時をタイムスタンプサーバ４０からサーバ３０に取得し、ＲＦＩＤタグ１１の識別情報およびＲＦＩＤ読取装置１３の識別情報と関連付けてデータベース５０に記録する。
【００３８】
その後、遊技機をパチンコ店に出荷し、この遊技機をパチンコ店に設置したときに、ＲＦＩＤタグ１１の識別情報およびＲＦＩＤ読取装置１３の識別情報を読み取るとともに、設置時の正確な日時をタイムスタンプサーバ４０からサーバ３０に取得し、倉庫内でＲＦＩＤタグ１１およびＲＦＩＤ読取装置１３を取り付けたときにデータベース５０に記録された情報と比較して、この間の不正行為の有無を検証する。
【００３９】
このとき、運搬時間までを考慮して出荷時と店舗での取り付け時の時刻情報を照合し、不正行為の有無が検証される。不正行為がないことが確認できた場合、この設置時刻は、ＲＦＩＤタグ１１の識別情報およびＲＦＩＤ読取装置１３の識別情報と関連付けて、サーバ２０に記録され、管理が開始される。ここでサーバ２０に記録された情報が、不正行為の有無の検証の基準値となる。
【００４０】
一方、既存台の場合、図４に示すように、パチンコ店などの店舗の既存の遊技機に対し、店舗内で、遊技機内部にＲＦＩＤ読取装置１３とともに、ＲＦＩＤタグ１１およびアンテナ線１２を貼り付けて封止した制御ボックス１０を取り付ける。そして、ＲＦＩＤタグ１１の識別情報およびＲＦＩＤ読取装置１３の識別情報を読み取るとともに、取り付け時の正確な日時をタイムスタンプサーバ４０からサーバ３０に取得し、ＲＦＩＤタグ１１の識別情報およびＲＦＩＤ読取装置１３の識別情報と関連付けてデータベース５０に記録する。
【００４１】
そして、このデータベース５０に記録した情報を不正行為の有無の検証の基準値とし、サーバ２０に取得して、設置時刻を、ＲＦＩＤタグ１１の識別情報およびＲＦＩＤ読取装置１３の識別情報と関連付けて記録し、監視を開始する。
【００４２】
監視の際、パチンコ店の閉店後、例えば、１〜５分間隔で各島Ｉ1，Ｉ2の遊技機１ａ，１ｂ，…，１ｎ，２ａ，２ｂ，…，２ｎ内部の制御ボックス１０に取り付けられたＲＦＩＤ読取装置１３により読み取ったＲＦＩＤタグ１１の識別情報、およびこのＲＦＩＤ読取装置１３の識別情報をサーバ２０により受信し、管理情報として記録する。なお、監視間隔は任意に設定することが可能である。営業時に監視する場合も同様に、監視間隔を任意に設定して監視することができる。
【００４３】
ここで、前述のように、不正行為があった場合、ＲＦＩＤ読取装置１３によりＲＦＩＤタグ１１の識別情報が読み取れなくなるので、不正行為が発生したとサーバ２０により判断される。また、ＲＦＩＤ読取装置１３により読み取った識別情報が、サーバ２０に記録された管理情報により、そのＲＦＩＤ読取装置１３の識別情報との関係で整合が取れない場合には、ＲＦＩＤタグ１１のすり替えの不正行為が発生したと判断される。
【００４４】
サーバ２０は、このように不正行為が発生したと判断した場合、各遊技機１ａ，１ｂ，…，１ｎ，２ａ，２ｂ，…，２ｎの状況をディスプレイ２１に表示出力するか、プリンタ２２により印刷出力する。また、サーバ２０は、予め通知先として設定された携帯電話９等にも通知する。これにより、不正行為が発生したことを監視者は知ることができ、即座に不正行為への対応を行うことができる。
【００４５】
以上のように、本実施形態におけるセキュリティ装置によれば、サーバ２０により、ネットワークを介して各遊技機１ａ，１ｂ，…，１ｎ，２ａ，２ｂ，…，２ｎのＲＦＩＤ読取装置１３により読み出されたＲＦＩＤタグ１１の識別情報を受信し、この受信状況に応じて識別情報に対応する各遊技機１ａ，１ｂ，…，１ｎ，２ａ，２ｂ，…，２ｎの状況を出力するので、各遊技機１ａ，１ｂ，…，１ｎ，２ａ，２ｂ，…，２ｎの遊技制御用ＲＯＭの正当性を常時監視することができる。これにより、改造ＲＯＭへの不正交換による不正行為を未然に防ぐことができる。
【００４６】
また、本実施形態におけるセキュリティ装置では、ＲＦＩＤタグ１１の識別情報とこのＲＦＩＤタグ１１の識別情報を受信するＲＦＩＤ読取装置１３の識別情報とを関連付けてサーバ２０およびデータベース５０に記録していることから、単なる制御ボックス１０の開封、取り外し行為だけでなく、ＲＦＩＤタグ１１のすり替え行為に対しても対応することが可能である。
【００４７】
さらに、ＲＦＩＤタグ１１の識別情報とこのＲＦＩＤタグ１１の識別情報を受信するＲＦＩＤ読取装置１３の識別情報に加えて、タイムスタンプサーバ４０から正確な時間を取得してサーバ２０およびデータベース５０に記録していることから、ＲＦＩＤタグ１１等の取り付け時の不正行為や、遊技機の店舗への設置時の不正行為に対しても時間的な裏付けを行って対応することが可能である。
【００４８】
なお、本実施形態におけるセキュリティ装置では、ハブ３ａ，３ｂに接続されたＲＦＩＤ読取装置１３は、各遊技機１ａ，１ｂ，…，１ｎ，２ａ，２ｂ，…，２ｎ内部に固定され、制御ボックス１０のＲＦＩＤタグ１１およびアンテナ線１２は、このＲＦＩＤ読取装置１３と離れている。そのため、正当に古い遊技制御用ＲＯＭを新たな遊技制御用ＲＯＭに交換する際には、ＲＦＩＤ読取装置１３を遊技機内部に残したまま、古い遊技制御用ＲＯＭが収容された制御ボックス１０を新たな制御ボックス１０に交換するだけでよい。これにより、何らケーブルの切断や配線を行うことなく、遊技制御用ＲＯＭの交換を容易に行うことができる。
【００４９】
また、サーバ２０は、各遊技機１ａ，１ｂ，…，１ｎ，２ａ，２ｂ，…，２ｎの制御ボックス１０のＲＦＩＤタグ１１の識別情報の受信状況に応じて予め設定された携帯電話９等の通知先に状況を通知する。そのため、制御ボックス１０が不正に開封または取り外されたときに、随時予め設定された通知先にその状況が通知されるので、即座に不正行為への対応を行うことが可能である。
【００５０】
また、本実施形態におけるセキュリティ装置では、アンテナ線１２を、制御ボックス１０を周回させた状態に貼り付け、あるいは制御ボックス１０の少なくとも互いに隣り合う３面を跨いで貼り付けている。これにより、制御ボックス１０の開閉部１０ａを開封しようとする力がアンテナ線１２に必ず加わるようになり、より早くかつ確実にアンテナ線が解かれたことを検出することができ、不正行為への対応をより早くかつ確実に行うことができる。
【００５１】
また、図２Ｂに示すように制御ボックス１０の周囲に鉄板１５等の防護板が設けられている場合であっても、アンテナ線１２を、終端を垂らした状態に取り付けることにより、無線通信への鉄板１５等による磁場の影響を回避して、ＲＦＩＤ読取装置１３によりＲＦＩＤタグ１１から識別情報を正確に読み取ることが可能である。
【産業上の利用可能性】
【００５２】
本発明のセキュリティ装置は、パチンコ機やスロット機等の遊技機における遊技制御用ＲＯＭの、改造ＲＯＭへの不正交換による不正行為を防止するための装置として有用である。
【図面の簡単な説明】
【００５３】
【図１】本発明の実施の形態におけるセキュリティ装置の全体構成図である。
【図２Ａ】遊技機内の制御ボックス周りの配置例を示す説明図である。
【図２Ｂ】遊技機内の制御ボックス周りの配置例を示す説明図である。
【図２Ｃ】遊技機内の制御ボックス周りの配置例を示す説明図である。
【図３】新規に設置する遊技機（新台）に対する処理の流れを示す説明図である。
【図４】既存の遊技機（既存台）に対する処理の流れを示す説明図である。
【符号の説明】
【００５４】
１ａ，１ｂ，１ｎ，２ａ，２ｂ，２ｎ  遊技機
３ａ，３ｂ  ハブ
４ａ，４ｂ  制御用コンピュータ
５ａ，５ｂ，６  無線ネットワーク通信装置
７  ルータ
８  インターネット
９  携帯電話
１０  制御ボックス
１０ａ  開閉部
１１  ＲＦＩＤタグ
１２  アンテナ線
１３  ＲＦＩＤ読取装置
１４  粘着テープ
１５，１６  鉄板
２０，３０  サーバ
２１，３１  ディスプレイ
２２，３２  プリンタ
４０  タイムスタンプサーバ
５０  データベース
【図１】
2005270447.tif 000003
【図２Ａ】
2005270447.tif 000004
【図２Ｂ】
2005270447.tif 000005
【図２Ｃ】
2005270447.tif 000006
【図３】
2005270447.tif 000007
【図４】
2005270447.tif 000008